(57)【要約】      （修正有）【課題】脱腸帯装着時にベルトが金具から外れないようにした脱落防止金具付き脱腸帯を提供する。【解決手段】押圧体に腰ベルト及び股ベルトを取り付けた脱腸帯において、前記押圧体上のベース金具に設けた前記腰ベルトのリング及び前記股ベルトのリングを掛けるための折返しフックを回転金具で開閉することを特徴とする。脱腸帯装着時にベルトが金具から外れないので、患部を確実に押圧することができる。尚、回転金具にストッパー及び回転用摘みを設けることで、容易に脱腸帯を着脱することができる。【選択図】図１
0003153909.tif 000002
【実用新案登録請求の範囲】
【請求項１】
押圧体に腰ベルト及び股ベルトを取り付けた脱腸帯において、前記押圧体上のベース金具に設けた前記腰ベルトのリング及び前記股ベルトのリングを掛けるための折返しフックを回転金具で開閉することを特徴とする脱落防止金具付き脱腸帯。
【請求項２】
回転金具に突起を形成することによりストッパー及び回転用摘みを設けることを特徴とする請求項１に記載の脱落防止金具付き脱腸帯。
【請求項３】
股ベルトを逆に取り付けることで左右逆側を押圧することを特徴とする請求項１又は２に記載の脱落防止金具付き脱腸帯。
【請求項４】
押圧体及び股ベルトを２つ取り付けることで左右両側を押圧することを特徴とする請求項１又は２に記載の脱落防止金具付き脱腸帯。
【考案の詳細な説明】
【技術分野】
【０００１】
本考案は、脱腸帯装着時にベルトが金具から外れないようにした脱落防止金具付き脱腸帯に関する。
【背景技術】
【０００２】
鼠径ヘルニアなど腸がはみ出した場合には、脱腸帯を装着して腸がはみ出さないように押圧しておく必要がある。
【０００３】
特許文献１に記載されているように、装着中の苦痛や皮膚症状の発生を少なくし、患部を正しく安定に押さえる脱腸帯の発明も公開されている。
【考案の概要】
【考案が解決しようとする課題】
【０００４】
しかしながら、従来技術においては、ベルトが外れたり緩んだりすると押圧の効果が失われるという課題がある。
【０００５】
そこで、本考案は、脱腸帯装着時にベルトが金具から外れないようにした脱落防止金具付き脱腸帯を提供することを目的とする。
【課題を解決するための手段】
【０００６】
上記の課題を解決するために、本考案は、押圧体に腰ベルト及び股ベルトを取り付けた脱腸帯において、前記押圧体上のベース金具に設けた前記腰ベルトのリング及び前記股ベルトのリングを掛けるための折返しフックを回転金具で開閉することを特徴とする脱落防止金具付き脱腸帯の構成とした。
【考案の効果】
【０００７】
本考案は、脱腸帯装着時にベルトが金具から外れないので、患部を確実に押圧することができる。尚、回転金具にストッパー及び回転用摘みを設けることで、容易に脱腸帯を着脱することができる。
【図面の簡単な説明】
【０００８】
【図１】本考案の実施例１に係る脱落防止金具付き脱腸帯の全体図である。
【図２】本考案の実施例１に係る脱落防止金具付き脱腸帯の脱落防止金具を拡大した図である。
【図３】本考案の実施例１に係る脱落防止金具付き脱腸帯の脱落防止金具にベルトを掛けた図である。
【図４】本考案の実施例１に係る脱落防止金具付き脱腸帯の脱落防止金具にベルトを留めた図である。
【図５】本考案の実施例１に係る脱落防止金具付き脱腸帯の脱落防止金具の断面図である。
【図６】本考案の実施例１に係る脱落防止金具付き脱腸帯を装着した図である。
【図７】本考案の実施例２に係る脱落防止金具付き脱腸帯を逆側に装着した図である。
【図８】本考案の実施例３に係る脱落防止金具付き脱腸帯の全体図である。
【考案を実施するための形態】
【０００９】
本考案である脱落防止金具付き脱腸帯は、押圧体に腰ベルト及び股ベルトを取り付けた脱腸帯において、前記押圧体上のベース金具に設けた前記腰ベルトのリング及び前記股ベルトのリングを掛けるための折返しフックを突起付き回転金具で開閉することを特徴とする。
【００１０】
尚、股ベルトを逆に取り付けることで左右逆側を押圧したり、押圧体及び股ベルトを２つ取り付けることで左右両側を押圧することも可能である。
【実施例１】
【００１１】
図１は、本考案の実施例１に係る脱落防止金具付き脱腸帯の全体図である。脱落防止金具付き脱腸帯１は、押圧体２、ベース金具３、回転金具４、腰ベルト６、股ベルト７等からなる。
【００１２】
押圧体２は、患部に当てる略三角形状のゴム製の部材であり、裏面が半球状に突出しており腸がはみ出さないように押圧することができる。表面にはベース金具３がボルト５等により固定される。
【００１３】
ベース金具３は、略三角形状の金属製の部材であり、その三方には、腰ベルト６の一端を留める箇所、腰ベルト６の他端を掛ける箇所、股ベルト７の一端を掛ける箇所が設けられる。
【００１４】
回転金具４は、略円形状の金属製の部材であり、ベース金具３と共に中心がボルト５等で留められ、ベース金具３の上側で回転させることができる。一部に空きを作ることにより、ベルトを掛ける箇所を塞いだり空けたりすることができる。
【００１５】
腰ベルト６は、帯状のゴム製の部材であり、患部から腰の周りに巻くように着ける。一端はベース金具３に留め、背面を回って他端はベース金具３の反対側に着脱可能に掛けることができる。
【００１６】
股ベルト７は、帯状のゴム製の部材であり、患部から股の前後を渡すように着ける。一端はベース金具３に着脱可能に掛けることができ、他端である巻着部７ａは、先端を環状にして腰ベルト６に通すように取り付ける。
【００１７】
図２は、本考案の実施例１に係る脱落防止金具付き脱腸帯の脱落防止金具を拡大した図である。尚、脱腸帯を装着する前のベルトが脱落防止金具から外れている状態である。押圧体２は、頂部２ａ、辺部２ｂからなり、フック２ｃが形成される。
【００１８】
頂部２ａは、三角形の頂点に相当する部分であり、丸みを帯びて三方に突出する。辺部２ｂは、三角形の辺に相当する部分であり、頂部２ａより短く突出する。フック２ｃは、ベース金具３の縁部３ｃを固定するために鉤状に形成された箇所である。
【００１９】
ベース金具３は、折返しフック３ａ、リング３ｂ、縁部３ｃからなる。折返しフック３ａは、三角形の頂点に相当する部分のうち２箇所について、丸みを帯びさせた先端を上側に折り返して鉤状にしたものである。
【００２０】
リング３ｂは、三角形の頂点に相当する部分のうち１箇所に環状の金具を取り付けたものである。縁部３ｃは、三角形の辺に相当する部分であり、折返しフック３ａとリング３ｂ以外の箇所である。
【００２１】
回転金具４は、ストッパー４ａ、切欠き４ｂ、回転用摘み４ｃを有する。ストッパー４ａは、回転金具４上で且つ２つの折返しフック３ａの間に設けた突起であり、折返しフック３ａに当たることで、回転金具４の回転範囲を制限する。
【００２２】
可動域における一方の端位置付近においては、回転金具４と折返しフック３ａの間に隙間を作り、可動域における他方の端位置においては、回転金具４と折返しフック３ａの間の隙間を無くす。
【００２３】
切欠き４ｂは、回転金具４の一部を２箇所切り取った空き部分である。切欠き４ｂにより、回転金具４と折返しフック３ａの間に隙間が生じ、腰ベルト６のリング６ｂ又は股ベルト７のリング７ｂを折返しフック３ａに掛けることが可能となる。
【００２４】
回転用摘み４ｃは、回転金具４上で且つリング３ｂのある側に設けた突起であり、ストッパー４ａと共に回転金具４を回転させる際に摘む。突起が２つあることで、回転金具４の回転を容易にする。
【００２５】
尚、ストッパー４ａ及び回転用摘み４ｃは、回転金具４の突起を設ける位置に突起物を付けても良いし、回転金具４の突起を設ける位置を上方に折り曲げることにより形成しても良い。
【００２６】
腰ベルト６は、固着部６ａ、リング６ｂ、調整金具６ｃを有する。固着部６ａは、腰ベルト６の一端であり、ベース金具３のリング３ｂに通した後、ベース金具３のリング３ｂから抜けないように先端を太くしたり固着した部分である。
【００２７】
リング６ｂは、腰ベルト６の他端に設けた環状の金具であり、ベース金具３の折返しフック３ａに引っ掛けることができる。調整金具６ｃは、腰ベルト６の長さを調整することができる。
【００２８】
股ベルト７は、巻着部７ａ、リング７ｂ、調整金具７ｃを有する。巻着部７ａは、股ベルト７の一端であり、先端を環状に丸めているため腰ベルト６を通すことができ、取付位置もずらすことができる。
【００２９】
リング７ｂは、股ベルト７の他端に設けた環状の金具であり、ベース金具３の折返しフック３ａに引っ掛けることができる。調整金具７ｃは、股ベルト７の長さを調整することができる。
【００３０】
図３は、本考案の実施例１に係る脱落防止金具付き脱腸帯の脱落防止金具にベルトを掛けた図である。脱腸帯を患部に当てベルトを巻いて長さを調節した上で脱落防止金具で固定する。
【００３１】
回転金具４の切欠き４ｂがベース金具３の折返しフック３ａの位置にある状態で、一の折返しフック３ａに腰ベルト６のリング６ｂを掛け、他の折返しフック３ａに股ベルト７のリング７ｂを掛ける。
【００３２】
この状態のままであると、通常時は腰ベルト６及び股ベルト７の長さが丁度良かったとしても、体を曲げたりした際に腰ベルト６及び股ベルト７が緩んで腰ベルト６又は股ベルト７がベース金具３から外れてしまう可能性がある。
【００３３】
図４は、本考案の実施例１に係る脱落防止金具付き脱腸帯の脱落防止金具にベルトを留めた図である。回転金具４を回転させ、切欠き４ｂでない箇所がベース金具３の折返しフック３ａの位置に来るようにする。
【００３４】
この状態にすれば、一時的に腰ベルト６及び股ベルト７が緩んでしまっても腰ベルト６又は股ベルト７がベース金具３から外れてしまう可能性は無くなり、脱腸帯の効果を持続させることができる。
【００３５】
図５は、本考案の実施例１に係る脱落防止金具付き脱腸帯の脱落防止金具の断面図である。ベース金具３及び回転金具４は、ボルト５、ナット５ａ、支材５ｂ、座金５ｃ、緩衝材５ｄ等を用いて押圧体２に取り付けられる。
【００３６】
ボルト５は、押圧体２との間にベース金具３、支材５ｂ、回転金具４、緩衝材５ｄ、座金５ｃを挟んだ上で中央に空けた孔に挿し込む。ナット５ａは、押圧体２内に埋め込まれており、押圧体２の孔に挿し込んだボルト５と螺合させて固定する。
【００３７】
支材５ｂは、ベース金具３と回転金具４の間隔を保持するために挟む部材である。座金５ｃは、ボルト５の頭が回転金具４等にめり込んだりしないようにボルト５と回転金具４の間に挟む金属円板である。
【００３８】
緩衝材５ｄは、回転金具４と座金５ｃの間に微妙な空間等がある場合に必要に応じて隙間を充填するために挟むゴムや金属等の部材であり、回転金具４が回転する際の抵抗を調節することができる。
【００３９】
また、図５の下段に示すように、支材５ｂを単純なパイプ状にしてベース金具３と座金５ｃの間に挟み、ベース金具３と回転金具４の間隔には、支材５ｂの外周にゴムや金属等のリング状パッキン５ｅを配して抵抗を調整することもできる。
【００４０】
図６は、本考案の実施例１に係る脱落防止金具付き脱腸帯を装着した図である。症状が右側に出た場合の装着例であり、押圧体２を右側の患部に当て腰ベルト６及び股ベルト７を巻く。
【実施例２】
【００４１】
図７は、本考案の実施例２に係る脱落防止金具付き脱腸帯を逆側に装着した図である。症状が左側に出た場合の装着例であり、押圧体２を左側の患部に当て腰ベルト６及び股ベルト７を巻く。
【００４２】
尚、股ベルト７を腰ベルト６から抜いて逆に通した上で、ベース金具３の折返しフック３ａについて腰ベルト６のリング６ｂと股ベルト７のリング７ｂを掛ける箇所を入れ換えれば左側用の脱腸帯とすることができる。
【実施例３】
【００４３】
図８は、本考案の実施例２に係る脱落防止金具付き脱腸帯の全体図である。症状が左右両側にある場合には、押圧体２を２つ設けた脱落防止金具付き脱腸帯１ａを装着することもできる。
【００４４】
腰ベルト６に対し、正面側に２つの押圧体２を吊し、背面側にも２つの股ベルト７を通して、左側の押圧体２に左側の股ベルト７を連結し、右側の押圧体２に右側の股ベルト７を連結することで、両側の患部に当てることが可能となる。
【符号の説明】
【００４５】
１        脱落防止金具付き脱腸帯
１ａ      脱落防止金具付き脱腸帯
２        押圧体
２ａ      頂部
２ｂ      辺部
２ｃ      フック
３        ベース金具
３ａ      折返しフック
３ｂ      リング
３ｃ      縁部
４        回転金具
４ａ      ストッパー
４ｂ      切欠き
４ｃ      回転用摘み
５        ボルト
５ａ      ナット
５ｂ      支材
５ｃ      座金
５ｄ      緩衝材
５ｅ      パッキン
６        腰ベルト
６ａ      固着部
６ｂ      リング
６ｃ      調整金具
７        股ベルト
７ａ      巻着部
７ｂ      リング
７ｃ      調整金具
【先行技術文献】
【特許文献】
【００４６】
【特許文献１】特開２００３−２６５５０９号公報
【図１】
0003153909.tif 000003
【図２】
0003153909.tif 000004
【図３】
0003153909.tif 000005
【図４】
0003153909.tif 000006
【図５】
0003153909.tif 000007
【図６】
0003153909.tif 000008
【図７】
0003153909.tif 000009
【図８】
0003153909.tif 000010